(57)【特許請求の範囲】
【請求項１】
長手方向に真っ直ぐであり、かつ短手方向に円弧状に湾曲している複数の板状片が各湾曲内面を同じ側に向けて長手方向に平行に並列配置して形成された板状体を含み、
前記板状体は、前記長手方向に真っ直ぐな第１の状態と前記湾曲内面を外面として該長手方向に円弧状に湾曲して収納部が形成された第２の状態に保形可能であり、
被収納物の一部が前記外面にあてがわれた状態でその残余部が前記収納部に収納されることを特徴とする収納具。
【請求項２】
長手方向に真っ直ぐであり、かつ短手方向に円弧状に湾曲している第１の状態と該湾曲内面を外面として長手方向に円弧状に湾曲して収納部が形成された第２の状態に保形可能な板状体を含み、
被収納物の一部が前記外面にあてがわれた状態でその残余部が前記収納部に収納されることを特徴とする収納具。
【請求項３】
前記板状体の１つが前記長手方向を該収納具の長手方向に沿ってその一端に配置され、もう１つが前記長手方向を該収納具の長手方向に沿ってその他端に配置され、２つの前記板状体の湾曲内面が同じ側に向いていることを特徴とする請求項１又は請求項２記載の収納具。
【請求項４】
前記板状片又は前記板状体が鋼材を含むことを特徴とする請求項１ないし３のいずれか１項記載の収納具。
【発明の詳細な説明】
【技術分野】
【０００１】
本発明は収納具に関し、特に伸縮性のある素材でできた被収納物を簡易に収納できる収納具に関する。
【背景技術】
【０００２】
従来、特にストッキングやハイソックスなどの女性用身体装着具は繰り返し使用するものであり、着用しないときは、小さく丸めるか軽く結んだ状態で収納するのが通常である。しかしながら、このような収納では、一旦解いて展開してみなければ、着用する用途に適するものかどうか判断できない。特に柄ものにあっては絵模様や色彩などを把握することができない。
【０００３】
これでは不便であり、使用の度に選択に時間がかかるのみならず、再度の整理整頓に更なる時間を要す。このような不具合を解消するため、一見してストッキングの柄を把握することができる収納具が提案されている（特許文献１参照）。
【先行技術文献】
【特許文献】
【０００４】
【特許文献１】特開２００６−４４７６６号公報
【発明の概要】
【発明が解決しようとする課題】
【０００５】
しかしながら、特許文献１に記載の収納具は、ストッキングを収納空間内に収納した状態で筒状に保形するために別部材の保形具を必要とする構成となっており、ストッキング収納後に保形具を取り付けることが必要である。このため、取り外す際にも、まず保形具を取り外す必要がある。このように、保形具を必要とし、この保形具を取り付けたり、取り外したりするのに手間がかかった。
【０００６】
本発明は、上記従来の課題を解決するものであり、別部材である保形具を必要とせず、被収納物の収納や取り外しが簡易にでき、また、被収納物に柄が表わされている場合においても、一見してその柄を把握することができる収納具を提供することを目的とする。
【課題を解決するための手段】
【０００７】
上記目的を達成するため、本発明は、長手方向に真っ直ぐであり、かつ短手方向に円弧状に湾曲している複数の板状片が各湾曲内面を同じ側に向けて長手方向に平行に並列配置して形成された板状体を含み、前記板状体は、前記長手方向に真っ直ぐな第１の状態と前記湾曲内面を外面として該長手方向に円弧状に湾曲して収納部が形成された第２の状態に保形可能であり、被収納物の一部が前記外面にあてがわれた状態でその残余部が前記収納部に収納されることを特徴とする収納具を提供する。
【０００８】
また、本発明は、長手方向に真っ直ぐであり、かつ短手方向に円弧状に湾曲している第１の状態と該湾曲内面を外面として長手方向に円弧状に湾曲して収納部が形成された第２の状態に保形可能な板状体を含み、被収納物の一部が前記外面にあてがわれた状態でその残余部が前記収納部に収納されることを特徴とする収納具を提供する。
【０００９】
本発明に係る収納具によれば、長手方向に真っ直ぐな第１の状態と長手方向に円弧状に湾曲して収納部が形成された第２の状態に保形可能な板状体の外面に被収納物の一部が外面にあてがわれた状態でその残余部が収納部に収納されるので、被収納物を簡易に収納でき、被収納物の一部に表わされた柄などを一見して把握することができる。また、被収納物の取り外しも容易である。
【００１０】
好ましい態様では、前記板状体の１つが前記長手方向を該収納具の長手方向に沿ってその一端に配置され、もう１つが前記長手方向を該収納具の長手方向に沿ってその他端に配置され、２つの前記板状体の湾曲内面が同じ側に向いていることを特徴とする。これによって、両端に配置された板状体がいずれも長手方向に円弧状に湾曲して収納部が２つ形成されるので、より大きい収納容積を確保できる。
【００１１】
上記態様では、前記板状片又は前記板状体が鋼材を含むのが好ましい。これによって、板状片又は板状体が効率的に第１の状態と第２の状態に保形可能となる。
【発明の効果】
【００１２】
以上のように、本発明によれば、外面に被収納物の一部をあてがった状態で長手方向に円弧状に湾曲して形成された収納部に被収納物を収納することができるので、被収納物の収納及び取り外しを簡易にでき、更に被収納物に表わされた柄などを被収納物を収納した状態で一見して把握することができる。
【図面の簡単な説明】
【００１３】
【図１】本発明の第１実施形態に係る収納具の第１の状態を示す斜視図である。
【図２】図１のＡ−Ａ断面図である。
【図３】本発明の第１実施形態に係る収納具の第２の状態を示す斜視図である。
【図４】図３のＢ−Ｂ断面図である。
【図５】本発明に係る収納具による収納方法を説明する図であって、（ａ）は被収納物開口部からの挿入、（ｂ）は柄部への移動、（ｃ）は被収納物の折り畳み、（ｄ）は被収納物残余部の折り畳み、（ｅ）は被収納物の収納状態を示す。
【図６】本発明の第２実施形態に係る収納具の第１の状態を示す斜視図である。
【図７】図６のＣ−Ｃ断面図である。
【図８】本発明の第２実施形態に係る収納具の第２の状態を示す斜視図である。
【図９】本発明の第３実施形態に係る収納具の第２の状態を示す斜視図である。
【発明を実施するための形態】
【００１４】
以下、添付図面を参照して本発明に係る収納具の実施形態を説明する。なお、以下、長方形状を画する長辺及び短辺のうち、長辺に沿う方向を長手方向といい、短辺に沿う方向を短手方向という。
【００１５】
＜第１実施形態＞
図１は、第１実施形態に係る収納具１を示す斜視図であり、長手方向に真っ直ぐな第１の状態を示す。図１に示すように、収納具１は、全体として平面視長方形であり、ある程度の剛性を有する矩形な板状部材よりなる中央部１７と、その両側に固着された板状体２，３とよりなる。収納具１の４つ角部４ａ〜４ｄは、被収納物の開口から挿入するときに被収納物を傷めることのないように丸みを帯びたＲ形状である。
【００１６】
板状体２，３は、中央部１７の両側に連接して設けられ、両板状体２，３は、同様な構成であり、長手方向に真っ直ぐかつ短手方向に円弧状に湾曲している４枚の板状片２ａ〜２ｄ，３ａ〜３ｄが隣接する夫々の長辺を揃えて並列に配置して形成される。
【００１７】
図２は、図１のＡ−Ａ断面、つまり板状体２の短手方向の断面を示す。図２に示すように、板状体２は、４枚の板状片２ａ〜２ｄの湾曲方向を同じ側に向けてなる。このような構成の板状体２は、その長手方向に真っ直ぐな第１の状態と板状片２ａ〜２ｄの湾曲内面２ａｉ〜２ｄｉ（２ｉ）側を外面として長手方向に円弧状に湾曲して収納部が形成された第２の状態に保形可能である。板状体３についても同様である。
【００１８】
板状片２ａ〜２ｄ，３ａ〜３ｄは、長手方向に丸まろうとする弾性力が生じるように加工される部材が使用され、本実施形態では鋼材を使用する。このことにより、収納具１は、図１に示す第１の状態と、板状片の湾曲内面側を外側にして長手方向に丸まって収納部が２つ形成された第２の状態に保形する。
図３は、収納具１を示す斜視図であり、板状片２ａ〜２ｄ，３ａ〜３ｄの湾曲内面２ｉ，３ｉ側を外面として長手方向に円弧状に湾曲して収納部９ａ，９ｂが形成された第２の状態を示す。
【００１９】
上記のように板状体２，３は、板状片２ａ〜２ｄ，３ａ〜３ｄに形成された湾曲内面２ｉ，３ｉを外側にして長手方向に丸まろうとする力（各板状片２ａ〜２ｄ，３ａ〜３ｄが長手方向に丸まろうとする力の和。本明細書において「弾性力」ということがある。）を有するが、この弾性力は第１の状態では板状体２，３を真っ直ぐに維持する維持力（各板状片２ａ〜２ｄ，３ａ〜３ｄを真っ直ぐに維持する力の和）より小さいので真っ直ぐな第１の状態が保持される。しかし、維持力を超える力が外部から長手方向に加えられ板状片２ａ〜２ｄ，３ａ〜３ｄの湾曲内面２ｉ，３ｉが平らになると維持力がなくなるので、外部から力を加えなくても弾性力によって板状体２，３は内側に丸まり、第２の状態となる。そして、この状態は、再度板状体２，３を真っ直ぐに伸ばそうとする外力が与えられない限り、維持される。
【００２０】
図４は、図３におけるＢ−Ｂ断面を示す。図４に示すように、板状体２，３は、同一方向に断面円弧状に湾曲し、収納部９ａ、９ｂが２つ形成された状態で維持される。
板状片２ａ〜２ｄ，３ａ〜３ｄは、丸まろうとする弾性力を有する材料であればよく、鋼材に限定されない。また、必要に応じて、収納具１の表面は、滑らかにするなどの各種の表面加工や表面塗装などが施され、あるいは全体が例えばビニル等で被覆されても構わない。
【００２１】
以下、被収納物の一例として、被収納物がストッキングの場合について説明する。収納具１の幅は、自由状態（伸張も収縮もしていない状態）におけるストッキングの脚部の幅より広い幅に設定される。これにより、収納具１が挿入されたストッキングの柄部分（模様や色彩等を施した部分）は自由状態から伸張した状態となり、模様や色彩等の柄部分をより明確に把握することができる。
【００２２】
上記のように、収納具１の４つの角部は丸みを帯びたＲ形状を有するが、更に外周辺の厚み方向の角辺部も丸みを帯びたＲ形状又はテーパ状に加工してストッキングを傷めることのないようにするのが好ましい。長方形の短辺の隣り合う２つの角部（図１の４ａと４ｂ、及び４ｃと４ｄ）が連続して１つのＲ形状を呈するような形状にしたものや、それらを組み合わせて角部によってＲ形状（Ｒの大きさ）が異なるものなど、その形状は限定されない。
【００２３】
以下、収納具１による収納方法について、図５（ａ）〜（ｅ）に基づき詳細に説明する。
まず、図５（ａ）に示すように、ストッキング５を展開し、該ストッキング５に設けられた開口部６から、収納具１の長手方向がストッキングの脚部７の長手方向に沿うように収納具１を挿入する。
【００２４】
次に、図５（ｂ）に示すように、収納具１がストッキングの生地に施された柄８を中心にして位置するように、収納具１を移動させ、図５（ｃ）に示すように、収納具１を挿入した脚部７のうち、収納具１より先の脚部先端部７ａを収納具１に重ね合わされるように折り畳む。その際に、収納具１が丸められた時に内側となる面の上に重ね合わせるように脚部先端部７ａを折り畳む。
【００２５】
更に、図５（ｄ）に示すように、収納具１上に収まらない余りの部分（他の脚部７ｂや胴部５ａ）も、収納具１上に脚部先端部７ａに重ね合わされるようにして適宜折り畳む。次に、重ね合わされたストッキングが内側に包み込まれるように、板状体２，３をそれぞれ両端部から湾曲して丸める。つまり、図１に示すような板状態（第１の状態）の収納具１に、板状体２，３を長手方向に丸めようとする力を使用者が手指などで加えることにより、板状体２，３が内側に（各板状片の湾曲内側が外側となるように）湾曲し、筒状に丸まる。
【００２６】
その結果、図５（ｅ）に示すように、２つの収納部９ａ，９ｂが形成された状態（第２の状態）に保形される。これにより、ストッキング５の柄８の部分にあてがわれた収納具１の１面の一部が外面１７ａを構成し、他面が湾曲内面となって形成された収納部９ａ，９ｂが収納空間を画することとなる。
上記の第１実施形態に係る収納具１によれば、被収納物を収納した状態において、収納具の外面が被収納物の生地によって覆われる状態となるため、被収納物を収納した収納具１を手に取れば、直ちに模様や色彩等の柄を把握することができる。
上記の収納方法では、収納具１の板状体２，３を筒状に丸めることによって２つの収納部９ａ，９ｂを形成し、同時に、板状体２，３の外面１７ａを覆った残余部分を収納部９ａ，９ｂ内に収納することができ、簡単に、見栄えよく被収納物を収納することができる。
【００２７】
収納部９ａ，９ｂの径の大きさは、板状体２，３が長手方向に丸まろうとする弾性力を発生させるように加工する際に、弾性力の程度を調整することにより、その径の大きさ、中央部１７の長さ（平面部の広さ）を調節することができる。その径の大きさは、望ましくは小さい方がよく、弾性力の大きさを調整してより小さくした場合には、幅Ｗ（図４参照）を小さくできる。例えば、タンスやクローゼットの引出しに収納する際には、幅Ｗを小さくした方がより多数の被収納物を収納することができる。
【００２８】
ここで、上記のように、被収納物（ストッキング）が収納される収納部（収納空間）は、収納具１の板状体２，３を筒状に丸めた２つの収納部９ａ，９ｂの空間とその間の空間とで構成されるが、板状体２，３が長手方向に丸まろうとする弾性力の程度により、例えば、収納具１の板状体２，３の端部同士がくっ付いたり、近づいたりして、1つの閉じた収納空間、あるいは、一部が開いた収納空間となる場合もあるが、いずれにしても、収納具１が第２の状態になった時に被収納物（ストッキングの残余部）が収納される収納空間が形成されていればよい。
なお、上記収納方法とは違って、被収納物に収納具１を挿入して板状体２，３をそれぞれ筒状に丸めて収納部９ａ，９ｂを形成した後、該収納部９ａ，９ｂ内に被収納物を入れ込むようにしてもよい。
【００２９】
収納された被収納物を収納具１から取り外す場合には、基本的に収納した手順と逆の手順により取り外すことができる。すなわち、収納部９ａ，９ｂを広げて板状態にし、重ね合わさって折り畳まれたストッキング５の他の脚部７ｂや脚部先端部７ａや胴部５ａなどを広げる。そして、収納具１をストッキング５の脚部７から取り出す。
このように被収納物を収納具１から取り外す場合には、第２の状態にある収納具１を第１の状態に変形してから、収納具１を被収納物から取り出すことによって、収納具１以外の別部材が必要なく、簡易に取り出すことができる。
【００３０】
次に、添付図面を参照して本発明に係る収納具の第２実施形態を説明する。なお、図面の説明において第１実施形態と同一の要素には同一符号を付し、その重複した説明は省略する。
【００３１】
＜第２実施形態＞
図６は、第２実施形態に係る収納具１０を示す斜視図であり、長手方向に真っ直ぐな第１の状態を示す。図６に示すように、収納具１０は、全体として平面視長方形であり、長手方向に真っ直ぐであり、かつ短手方向に円弧状に湾曲している４枚の板状片１２ａ〜１２ｄを有する板状体１２よりなる。板状片１２ａ〜１２ｄは、各湾曲内面を同じ側に向けて配列され、互いに隣接する板状片１２ａと１２ｂ，１２ｂと１２ｃ，１２ｃと１２ｄは各長辺を揃えて並列に配置される。
【００３２】
図７は、図６のＣ−Ｃ断面、つまり板状体１２の短手方向の断面を示す。図７に示すように、４枚の板状片１２ａ〜１２ｄは、第１実施形態と同様であり、夫々の湾曲方向を同じ側に向けて形成される。このような構成の板状体１２は、その長手方向に真っ直ぐな第１の状態と板状片１２ａ〜１２ｄの湾曲内面を外面として長手方向に円弧状に湾曲して収納部１９が形成された第２の状態（図８参照）に保形可能である。
【００３３】
板状体１２は、板状体２，３の場合と違って、その全体が被覆体１４で覆われている。被覆体１４の材質は、本実施形態では塩化ビニル樹脂であるが、上記第１の状態と第２の状態に保形可能な板状片１２ａ〜１２ｄの機能を阻害するものでなければ、材質は限定されない。
【００３４】
図８は、第２実施形態に係る収納具１０を示す斜視図であり、上記第２の状態を示す。
板状体１２は、それを構成する板状片１２ａ〜１２ｄに形成された湾曲内面１５を外側として丸まろうとする弾性力を有するが、第１の状態では板状体１２を真っ直ぐに維持する維持力より小さいので第１の状態が維持される。しかしながら、板状片１２ａ〜１２ｄの湾曲内面１５を平らにするような力が長手方向に加えられ、湾曲内面が平らになると維持力がなくなるので、外部から力を加えなくても弾性力によって板状体１２は内側に丸まり、第２の状態となる。そして、この状態は、再度板状体１２を真っ直ぐに伸ばそうとする外力が与えられない限り、維持される。
【００３５】
以下、図５を参照して、収納具１０による収納方法について、被収納物がストッキングの場合を例にして説明する。図５（ａ）〜（ｄ）に図示される方法については、収納具１の場合と同様である。
本実施形態においては、重ね合わされたストッキングが内側に包み込まれるように、長手方向の一方側から収納具１０を筒状に丸める力を使用者が手指などで加える。そうすると、収納具１０は、図８に示すような第２の状態に保形される。これにより、ストッキング５の残余部分を収納具１０の収納部１９内に収納することができる。
【００３６】
本実施形態に係る収納具１０によれば、被収納物を収納した状態において、収納具１０の外面（収納部１９の外面）が被収納物の生地によって覆われる状態となるため、被収納物を収納した収納具を一見すれば直ちに模様や色彩等の柄部分を把握することができる。
上記の第２実施形態の収納方法に従って収納具１０を筒状に丸めると収納部１９が形成されると同時に被収納物が収納部１９内に収納される。
また、収納具１０を被収納物が収納されている第２の状態から第１の状態に変形することで、収納具１０以外の別部材が必要なく、簡易に被収納物を取り出すことができる。なお、収納部１９の径の大きさは、第１実施形態と同様に、弾性力の大きさを調整することにより、調節することができる。
【００３７】
次に、添付図面を参照して第３実施形態の収納具２０を説明する。なお、図面の説明において第１及び第２実施形態と同一の要素には同一符号を付し、その重複した説明は省略する。
【００３８】
＜第３実施形態＞
本実施形態の収納具２０の第１の状態は、収納具１０と同じ（図６及び図７参照）であるので、その重複する説明は省略する。
図９は、第３実施形態に係る収納具２０を示す斜視図であり、収納部が２つ形成された第２の状態を示す。
【００３９】
板状体２２は、それを構成する板状片２２ａ〜２２ｄに形成された湾曲内面２５を外側として丸まろうとする弾性力を有するが、第１の状態では板状体２２を真っ直ぐに維持する維持力より小さいので第１の状態が維持される。しかしながら、板状片２２ａ〜２２ｄの湾曲内面２５を平らにするような力が長手方向に加えられ、湾曲内面が平らになると維持力がなくなるので、外部から力を加えなくても弾性力によって板状体２２は内側に丸まる。このとき、板状体２２の両端部に湾曲内面が平らになる力を長手方向に同じ様に加えると、両端部から同一方向（内側）に円弧状に湾曲し２つの収納部２９ａ，２９ｂが生じる。この状態（第２の状態）は、収納部２９ａ，２９ｂに真っ直ぐに伸ばそうとする外力を長手方向に与えない限り維持される。
【００４０】
収納具２０による収納方法は第２実施形態で説明したのと同様であるが、第２実施形態の場合と違って、収納具２０を筒状に丸める際に、上記のように両端部から丸める力を加えると２つの収納部２９ａ，２９が形成される。この場合、図５（ｅ）に示す第１実施形態と類似した第２の状態に保形されるが、本実施形態では、第１実施形態の収納具１における平坦な中央部１７（図３参照）がないので、長手方向の中央部分も丸まって曲面形状になる。
収納具２０においては、収納具１の場合と同様に２つの収納部２９ａ，２９ｂ内に被収納物を収納することができるが、その幅Ｗ２０（図示せず）は、収納具１の幅Ｗ（図４参照）より広くなるのが通常である。
【００４１】
本発明に係る収納具は、上記の実施形態に限定されて解釈されるものではなく、本発明の範囲を逸脱しない限りにおいて、当業者の知識に基づいて、種々の変更、修正、改良を加えた構成を取り得る。例えば、上記実施形態において、板状体２，３，１２，２２は、４列に並んだ板状片で構成されているが、これに限らず、３列やその他の列数で並んだ板状体で構成してもよいし、各板状体の横幅を広くしたり狭くしたりしてもよい。あるいは、板状体２，３，１２，２２を１枚のやや幅広の板状片で構成して、その短手方向に全体が湾曲した断面形状を有するようにしてもよい。
【００４２】
また、収納具１の色彩は特に限定されないが、前記板状体の外面又は該板状体を覆う被覆部の外面の一部又は全部が肌色又は肌色に近い色であるのが好ましい。このことにより、被収納物として身体装着具を収納するとき、実際に着用したような状況を被収納物を収納した状態で把握できるので、より選択し易くなる。
【００４３】
本発明に係る収納具は、図５にて例示したパンツタイプのストッキング（いわゆる、パンティストッキング）に限らず、脚部だけで構成されるタイプのストッキングや膝までの丈の短いタイプのストッキングあるいはオーバーニーレングスソックス、ハイソックス、レッグウォーマーなどの身体装着具等、特に伸縮性のある素材でできた被収納物の収納に適する。
【符号の説明】
【００４４】
１，１０，２０  収納具
２，３，１２，２２  板状体
２ａ〜２ｄ，３ａ〜３ｄ，１２ａ〜１２ｄ，２２ａ〜２２ｄ  板状片
２ａｉ〜２ｄｉ，２ｉ，３ｉ，１５，２５  湾曲内面
４ａ〜４ｄ  角部
５    ストッキング（被収納物）
５ａ  胴部
６    開口部
７    ストッキングの脚部
７ａ  脚部先端部
７ｂ  他の脚部
８    柄
９ａ，９ｂ，１９，２９ａ，２９ｂ  収納部
１４  被覆体
１７  中央部
１７ａ  外面
【図１】
0005848593.tif 000002
【図２】
0005848593.tif 000003
【図３】
0005848593.tif 000004
【図４】
0005848593.tif 000005
【図５】
0005848593.tif 000006
【図６】
0005848593.tif 000007
【図７】
0005848593.tif 000008
【図８】
0005848593.tif 000009
【図９】
0005848593.tif 000010